【事件の表示】
　平成１１年特許願第１５７１４４号「監視装置」拒絶査定不服審判事件〔平成１２年１２月１５日出願公開、特開２０００−３５０１８９〕について、次のとおり審決する。
【結　論】
　本件審判の請求は、成り立たない。
【理　由】
　
第一　経緯
　
１．手続
　本願は、平成１１年６月３日の出願である。
　本件は、本願についてされた拒絶査定（平成１６年１０月２６日付け）を不服とする平成１６年１２月２日の請求である。
　
２．査定
　原査定の理由は、概略、下記のとおりである。
　　　　　記（査定の理由）
　本願各発明（請求項１から請求項６までに係る発明）は、下記刊行物に記載された発明に基づいて当業者が容易に発明をすることができたものであるから、特許法第２９条第２項の規定により、特許を受けることができない。
　　　　　記
　刊行物１：特開平１０−２７６３６５号公報
　
第二　本願発明
　
　本願の請求項１から請求項６までに係る各発明は、本願明細書および図面（平成１６年９月２７日付けの手続補正書により補正された明細書および図面）の記載からみて、特許請求の範囲の請求項１から請求項６までにそれぞれ記載したとおりの「監視装置」であると認められるところ、そのうち、請求項１に係る発明（本願発明ともいう）は下記のとおりのものである。
　　　　　記（請求項１に係る発明）
　各々の監視領域の画像を撮影する複数の撮像手段（Ａ１〜Ａｎ）と、
　各撮像手段から出力される映像信号を択一的に選択する第１の映像選択手段（Ｂ）と、
　該第１の映像選択手段から出力された映像信号を量子化するＡ／Ｄコンバータ（Ｃ）と、
　前記Ａ／Ｄコンバータから出力された量子化画像信号を前記撮像手段に対応して複数設けられたエンコード部（Ｅ１〜Ｅｎ）の何れかに択一的に出力する第２の映像選択手段（Ｄ）と、
　該第２の映像選択手段から入力された量子化画像信号をそれぞれ画像圧縮する前記エンコード部と、
　各エンコード部から出力される圧縮画像符号を多重して出力する多重部（Ｆ）と、
　前記第１の映像選択手段の選択動作を制御すると共に、第１の映像選択手段によって選択された撮像手段に対応するエンコード部に量子化画像信号を入力するように第２の映像選択手段の選択動作を制御する選択制御手段（Ｇ）と、
　を具備することを特徴とする監視装置。
　
第三　査定の検討
　
１．刊行物の記載
　原査定において引用された刊行物１（特開平１０−２７６３６５号公報、平成１０年１０月１３日出願公開）には、以下の記載が認められる。
　
　〈発明の属する技術分野〉
　　（ア）「本発明は、映像情報の圧縮符号化装置に関するものであり、特に、監視システムなどの、複数のビデオカメラで得られた映像情報を順次切り換えて記録する映像記録装置に好適な圧縮符号化装置に関する。」（段落0001）
　
　〈従来の技術〉
　　（イ）「従来より、複数のビデオカメラ（以下、単にカメラとも称する）で撮像した映像をスイッチャ部で切り替えて、長時間記録に対応したタイムラプスＶＴＲに時分割で記録する監視システムが用いられている。」（段落0002）
　〈発明が解決しようとする課題〉
　　（ウ）「従来の監視システムでは、上述したように、アナログの映像信号を磁気テープ上に記録するタイムラプスＶＴＲが主流であるが、上記説明したデジタル記録装置を用いて監視システムを構成することも可能である。
　　すなわち、カメラが１台の場合は、その出力映像信号をデジタル化し、その後、ＭＰＥＧ方式でデータ圧縮してデータ量を削減して、ディスクやテープ上に記録する。また、カメラが複数台の場合は、カメラ各々に対応させてＭＰＥＧ圧縮符号化装置および記録再生装置を設け、カメラ各々の映像信号をデジタル記録する。」（段落0022、段落0023）
　　（エ）「ところで、一般に、ＭＰＥＧ圧縮符号化装置は非常に高価である。これを複数台用いると非常に高価な監視システムになってしまう。したがって、システムの低価格化のためには、従来の監視システムのように、複数のカメラで得た映像信号を１台の圧縮符号化装置でデータ圧縮して、記録することが好ましい。
　　しかしながら、フレームスイッチャで作成された混合映像信号をデジタル化してＭＰＥＧ圧縮しようとすると以下に示す問題が生じる。
　通常、異なるカメラで得られた映像に相関はない。したがって、異なるカメラで得られた映像間の差分データ量は、同一のカメラで得られた映像間の差分データ量よりも非常に大きくなる。
　　このため、時分割により複数のカメラの映像を頻繁に切り替えると、フレーム間予測符号化の効果がなくなってしまう。映像データを効率的に圧縮して記録することができない。」（段落0024〜段落0027）
　〈本発明の目的〉
　　（オ）「本発明は上記事情に鑑みてなされたものであり、本発明の目的は、複数の映像データを、予測符号化を用いて効率的にデータ圧縮を行うことができる映像データ圧縮装置、映像記録再生装置、および映像データの圧縮符号化方法を提供することにある。」（段落0028）
　〈課題を解決するための手段〉
　　（カ）「上記課題を解決するために、本発明の第一の態様は、複数種の映像データが時分割で混合された混合映像データを圧縮する映像データ圧縮装置であって、前記複数種の映像データ毎にフレームあるいはフィールドを単位とする画像間の予測符号化を行うことで、前記混合映像データを圧縮することを特徴とする。」（段落0029）
　〈第一実施形態、図１〉
　〈記録再生装置の概略ブロック〉
　　（キ）「ここで、符号１〜符号４は映像入力端子、符号５は同期化切替回路、符号６〜符号９および符号１６〜１９はメモリ、符号１１はＭＰＥＧ符号化回路、符号１２はカメラコード判別回路、符号１３は記録時メモリ制御回路、符号１４は記録再生部、符号１５はＭＰＥＧ復号化回路、符号２１は再生時メモリ制御回路、符号２３はカメラコード付加回路、符号２４は表示制御回路、符号２５は映像出力端子、符号２６はビデオデコーダ回路、そして符号２７はビデオエンコーダ回路である。また、符号１０は同期化切替回路５と表示制御回路２４とでなるフレームスイッチャである。　　
　　映像入力端子１〜４は、図示していないカメラから出力されたアナログの映像信号を入力する。」（段落0040、段落0041）
　　（ク）「ビデオデコーダ回路２６は、同期化切替回路５から出力された混合映像信号を、ＭＰＥＧ符号化に合わせた画素数の輝度信号および色差信号からなる映像データＶＳＭＩｒに変換する。
　　カメラコード判別回路１２は、同期化切替回路５から出力された混合映像信号からカメラコードを検出する。」（段落0043、段落0044）
　〈同期化切替回路５、図２〉
　　（ケ）「同期化切替回路５は、映像入力端子１〜４に入力された４つのアナログ映像信号をデジタル変換するとともに、当該４つの映像信号を同期させながら順次切り替え、一つの混合映像信号として出力する。また、当該４つの映像信号を識別するためのカメラコードを、当該混合映像信号の対応する部分に付加する。」（段落0042）
　　（コ）「ここで、符号３１は映像選択回路Ａ、符号３２は映像選択回路Ｂ、符号３３は入力タイミング発生回路、符号３４、３５はＡ／Ｄコンバータ、符号３６、３７は切替スイッチ、符号３８はＦＩＦＯ（First In First Out）メモリＡ、符号３９はＦＩＦＯメモリＢ、符号４０は書き込み制御回路Ａ、符号４１は書き込み制御回路Ｂ、符号４２は読み出し制御回路Ａ、符号４３は読み出し制御回路Ｂ、符号４４は出力選択回路、符号４５は基準タイミング発生回路、そして、符号４７はカメラコード付加回路である。
　　映像選択回路Ａ３１は、基準タイミング発生回路４５の制御信号ＳＡにしたがって、入力端子１〜４に各々入力されたアナログの映像信号ＶＳ１〜ＶＳ４のうちのいずれか一つを選択する。
　　映像選択回路Ｂ３９は、基準タイミング発生回路４５の制御信号ＳＢにしたがって、入力端子１〜４に各々入力されたアナログの映像信号ＶＳ１〜ＶＳ４のうちのいずれか一つを選択する。
　　Ａ／Ｄコンバータ３４は、映像選択回路Ａ３１で選択されたアナログの映像信号をデジタル変換する。」（段落0065〜段落0068）
　〈メモリ（１Ｒ〜４Ｒ）〉
　　（サ）「メモリ（１Ｒ）６〜メモリ（４Ｒ）９は、映像データＶＳＭＩｒの対応する部分を各々格納する。」（段落0065）
　〈記録時メモリ制御回路１３〉
　　（シ）「記録時メモリ制御回路１３は、カメラコード判別回路１２で判別されたカメラコードにしたがって、ビデオデコーダ回路２６から出力された映像データＶＳＭＩｒを格納するメモリを制御する。
　　本実施形態では、カメラコードにしたがい、映像データＶＳＭＩｒのうち、映像入力端子１に入力された映像信号に相当する部分をメモリ（１Ｒ）６に、映像入力端子２に入力された映像信号に相当する部分をメモリ（２Ｒ）７に、映像入力端子３に入力された映像信号に相当する部分をメモリ（３Ｒ）８に、そして、映像入力端子４に入力された映像信号に相当する部分をメモリ（４Ｒ）９に、各々格納するようにメモリ（１Ｒ）６〜メモリ（４Ｒ）９を制御している。
　　また、記録時メモリ制御回路１３は、メモリ（１Ｒ）６〜メモリ（１Ｒ）９に順次アクセスして、各々に格納された任意フレーム数分の映像データＶＳＭＩｒをまとめて読み出す。
　　このようにすることで、ビデオデコーダ回路２６から出力された映像データＶＳＭＩｒは、フレームの順番が入れ替わった映像データ、すなわち、映像入力端子１〜４に入力された映像信号に相当する映像データ各々が、順次、任意フレーム数分ずつ連続して構成された映像データＶＳＭＯｒに変換される。」（段落0046〜段落0049）
　〈ＭＰＥＧ符号化回路１１〉
　　（ス）「ＭＰＥＧ符号化回路１１は、映像データＶＳＭＯｒをＭＰＥＧ符号化し、ＭＰＥＧビットストリームＢＳｒとして出力する。
　　この際、ＭＰＥＧ符号化回路１１は、記録時メモリ制御回路１３の指示にしたがって、ビットストリームＢＳｒに、当該ビットストリームＢｓｒに変換されたＶＳＭＯｒの元となる映像信号のカメラコード情報を付加する。」（段落0050、段落0051）
　
２．対比
　本願発明と刊行物１に記載された発明とを対比する。
　（ａ）監視装置
　刊行物１に記載された映像データ圧縮装置は、監視システムなどの複数のビデオカメラで得られた映像情報を順次切り換えて記録する映像記録装置に好適とする圧縮符号化装置である（記載ア）。
　かかる圧縮符号化装置が適用される監視システムは、本願発明の「監視装置」に相当する。
　（ｂ）複数の撮像手段
　刊行物１では、映像入力端子１〜４に「図示していないカメラ」から出力された４つのアナログ映像信号が入力される（記載キ）。
　刊行物１の「図示していないカメラ」は、本願発明にいう「各々の監視領域の画像を撮影する複数の撮像手段」に相当する。
　（ｃ）第１の映像選択手段
　刊行物１では、同期化切替回路５において、映像選択回路Ａ３１が、基準タイミング発生回路４５の制御信号ＳＡ、ＳＢに従って、入力端子１〜４に各々入力されたアナログの映像信号ＶＳ１〜ＶＳ４のうちのいずれか一つを選択する（記載コ）。
　刊行物１の「映像選択回路Ａ３１」は、本願発明にいう「各撮像手段から出力される映像信号を択一的に選択する第１の映像選択手段」に相当する。
　（ｄ）Ａ／Ｄコンバータ
　刊行物１では、映像選択回路Ａ３１で選択されたアナログの映像信号を、Ａ／Ｄコンバータ３４がデジタル変換する（記載コ）。
　刊行物１の「Ａ／Ｄコンバータ３４」は、本願発明にいう「該第１の映像選択手段から出力された映像信号を量子化するＡ／Ｄコンバータ」に相当する。
　（ｅ）第２の映像選択手段、エンコード部
　（ｅ１）刊行物１
　刊行物１では、記録時メモリ制御回路１３は、カメラコードに従い、ビデオデコーダ回路２６から出力された映像データＶＳＭＩｒのうち、映像入力端子１に入力された映像信号に相当する部分をメモリ（１Ｒ）に、映像入力端子２に入力された映像信号に相当する部分をメモリ（２Ｒ）に、映像入力端子３に入力された映像信号に相当する部分をメモリ（３Ｒ）に、そして、映像入力端子４に入力された映像信号に相当する部分をメモリ（４Ｒ）に、各々格納するようにメモリ（１Ｒ〜４Ｒ）を制御する（記載シ）。
　これにより、映像入力端子１〜４の各々に対応する映像データＶＳＭＩｒが、入力端子１〜４の各々に対応するメモリ（１Ｒ〜４Ｒ）に、連続する複数フレーム分ずつ格納される（記載シ）。
　また、記録時メモリ制御回路１３は、各メモリに映像入力端子１〜４の各々に対応して格納された映像データＶＳＭＩｒを、まとめて（連続する複数フレーム分）読み出すようメモリ（１Ｒ〜４Ｒ）に順次アクセスする（記載シ）。
　そして、ＭＰＥＧ符号化回路１１は、読み出された映像入力端子１〜４の各々に対応する映像データＶＳＭＯｒ（連続する複数フレーム分）を、順次、ＭＰＥＧ符号化する（記載ス）。
　（ｅ２）エンコード部
　以上によれば、刊行物１では、各映像入力端子（１〜４）に入力された映像信号を、各映像入力端子に対応する各メモリ（１Ｒ〜４Ｒ）と単一の共用するＭＰＥＧ符号化回路１１との協働により、各々、連続する複数フレーム分ずつ、順次、符号化するものである。
　これによれば、ＭＰＥＧ符号化回路１１は、「メモリ（１Ｒ）とＭＰＥＧ符号化回路１１と」、「メモリ（２Ｒ）とＭＰＥＧ符号化回路１１と」、「メモリ（３Ｒ）とＭＰＥＧ符号化回路１１と」および「メモリ（４Ｒ）とＭＰＥＧ符号化回路１１と」が協働する各期間において、映像入力端子（１〜４）の各々に対応する映像信号を連続して符号化する専用の符号化回路であると言うことができる。
　そうすると、上記各メモリ（１Ｒ〜４Ｒ）とＭＰＥＧ符号化回路１１との協働の各々は、本願発明にいう「前記撮像手段に対応して複数設けられたエンコード部」および「入力された量子化画像信号をそれぞれ画像圧縮する前記エンコード部」に相当する。
　（ｅ３）第２の映像選択手段、選択制御手段（後段）
　そうすると、映像入力端子１〜４の各々に対応する映像データＶＳＭＩｒを、入力端子１〜４の各々に対応するメモリ（１Ｒ〜４Ｒ）に格納するところの記録時メモリ制御回路１３は、本願発明にいう「前記Ａ／Ｄコンバータから出力された量子化画像信号を前記撮像手段に対応して複数設けられたエンコード部の何れかに択一的に出力する第２の映像選択手段」に相当し、同じく、本願発明にいう「第１の映像選択手段によって選択された撮像手段に対応するエンコード部に量子化画像信号を入力するように第２の映像選択手段の選択動作を制御する（選択制御手段）」との動作を行なう回路手段をその内部に備えることが認められる。
　（ｅ４）エンコード部の内部構造の相違
　もっとも、刊行物１と本願発明との間には、「エンコード部」の内部構造において相違が認められる。
　すなわち、本願発明は、複数のエンコード部の各々が専用の符号化部を有する構成であるのに対して、刊行物１は、複数のエンコード部は符号化部を共用する構成であり、このことに由来して、複数のエンコード部の各々はメモリ（複数フレーム分を格納するメモリ）を備える必要がある点において、相違が認められる。
　（ｅ５）エンコード部についての対応関係
　（ｅ５１）本願発明は、「上記従来技術では、各撮像装置の画像に基づく時分割多重信号を画像圧縮するように構成されているので、つまり、互いの相関性が極めて低い各撮像装置の画像を時分割多重して得られた時分割多重信号を画像圧縮するので、高い圧縮率が得られじず、よって外部に伝送される画像データのデータ容量を十分に低減することができない。」（段落0004）とした上で、「本発明は、上述する問題点に鑑みてなされたもので、画像圧縮の結果得られた画像データのデータ容量をさらに低減させ、同時に装置構成を簡略化してコストダウンを実現することが可能な監視装置の提供を目的とする」（段落0005）ものであり、その特徴は、「各エンコード部には、自らに対応付けられた撮像手段の映像信号に基づく量子化画像信号が
常に入力
　（ｅ５２）刊行物１は、「複数のカメラで得た映像信号を１台の圧縮符号化装置でデータ圧縮して、記録することが好ましい。」（段落0024）ところ、「フレームスイッチャで作成された混合映像信号をデジタル化して（注：１台の圧縮符号化装置で）ＭＰＥＧ圧縮しようとすると以下に示す問題が生じる。」（段落0025）として、「通常、異なるカメラで得られた映像に相関はない。・・・このため・・・フレーム間予測符号化の効果がなくなってしまう。映像データを効率的に圧縮して記録することができない。」（段落0027）との同問題を示した上で、「本発明は上記事情に鑑みてなされたものであり」（段落0028）とし、本発明は「・・・複数種の映像データ毎に切り分けて・・・第一の記憶手段に書き込まれた混合映像データを、複数種の映像データ毎に、複数画像分まとめて順次読み出させ、予測符号化手段に・・・
複数画像分まとめて
　（ｅ５３）以上によれば、本願発明と刊行物１とは、「常に入力」と「複数画像分まとめて」との相違はあるものの、その基本思想は、双方とも、相関のある映像データ（同一のカメラの映像データ）を連続して予測符号化することにある。連続して予測符号化するとの思想において共通する以上、本願発明の「エンコード部」に対応する予測符号化手段としては、刊行物１では、第一の記憶手段（メモリ（１Ｒ〜４Ｒ））とＭＰＥＧ符号化回路１１を含めて認定をすべきである。
　（ｆ）多重部
　ＭＰＥＧ符号化回路１１は、映像データＶＳＭＯｒをＭＰＥＧ符号化し、ＭＰＥＧビットストリームＢＳｒとして出力する際に、記録時メモリ制御回路１３の指示に従い、ビットストリームＢＳｒに、当該ビットストリームＢｓｒに変換されたＶＳＭＯｒの元となる映像信号のカメラコード情報を付加する（記載ス）。
　刊行物１のＭＰＥＧ符号化回路１１は、その内部に、本願発明にいう「各エンコード部から出力される圧縮画像符号を多重して出力する多重部」に相当する回路手段を備えていると言うことができる。
　もっとも、エンコード部の内部構造に相違があることは前記のとおりである。
　（ｇ）選択制御手段（前段）
　刊行物１では、映像選択回路Ａ３１が、基準タイミング発生回路４５の制御信号ＳＡ、ＳＢに従って、アナログ映像信号ＶＳ１〜ＶＳ４のうちのいずれか一つを選択することは前記のとおりである。基準タイミング発生回路４５の動作は、本願発明にいう「第１の映像選択手段の選択動作を制御する（と共に、）」に相当する。
　（ｈ）選択制御手段
　刊行物１では、基準タイミング発生回路４５の動作が本願発明にいう「第１の映像選択手段の選択動作を制御する（と共に、）」に相当し、記録時メモリ制御回路１３が本願発明にいう「第１の映像選択手段によって選択された撮像手段に対応するエンコード部に量子化画像信号を入力するように第２の映像選択手段の選択動作を制御する（選択制御手段）」との動作を行なう回路手段をその内部に備えることは前記のとおりである。
　もっとも、刊行物１では「第１の映像選択手段の選択動作を制御する」との動作を行なう回路手段（基準タイミング発生回路４５、
第１選択制御部
第２選択制御部
　
３．一致点・相違点
　本願発明と刊行物１記載の発明との一致点および相違点は下記のとおりである。
　　　　　記（一致点）
　各々の監視領域の画像を撮影する複数の撮像手段と、
　各撮像手段から出力される映像信号を択一的に選択する第１の映像選択手段と、
　該第１の映像選択手段から出力された映像信号を量子化するＡ／Ｄコンバータと、
　前記Ａ／Ｄコンバータから出力された量子化画像信号を前記撮像手段に対応して
複数設けられたエンコード部
　該第２の映像選択手段から入力された量子化画像信号をそれぞれ画像圧縮する前記エンコード部と、
　各エンコード部から出力される圧縮画像符号を多重して出力する多重部と、
　前記第１の映像選択手段の選択動作を制御する
第１選択制御部
第２選択制御部
　を具備する監視装置。
　　　　　記（相違点）
　〈相違点１〉
　本願発明では、「複数設けられたエンコード部」の各々が専用の符号化部を有する構成であるのに対して、刊行物１は、「複数設けられたエンコード部」は符号化部を共用する構成であり、このことに由来して、各々メモリを備える点。
　〈相違点２〉
　本願発明では「第１選択制御部」と「第２選択制御部」とが単一の回路手段（選択制御手段）として構成されるのに対して、刊行物１では別個の回路手段として構成されている点。
　
４．相違点の判断
（４−１）相違点１
　（ａ）刊行物１の思想
　刊行物１記載の発明が、相関のある映像データ（同一のカメラの映像データ）を連続して予測符号化するとの思想に立ち、連続する複数フレーム分（有限期間）ながらも、同期間は同一のカメラの映像データについて符号化部を専用する構成であることは、前記のとおりである。
　（ｂ）刊行物１の記載（従来の経緯）
　他方、刊行物１には、「一般に、ＭＰＥＧ圧縮符号化装置は非常に高価である。これを複数台用いると非常に高価な監視システムになってしまう。したがって、システムの低価格化のためには、従来の監視システムのように、複数のカメラで得た映像信号を１台の圧縮符号化装置でデータ圧縮して、記録することが好ましい。」（記載エ）と記載されている。この記載によれば、システムの低価格化のために１台の符号化装置を用いるのであり、１台を用いるか複数台を用いるかという選択は、技術的要請というよりは、多分に価格の観点に依ることが窺われる。
　（ｃ）小括
　相違点１に係る構成は、刊行物１の上記記載を参照して（価格を厭わず）、各メモリに共通の符号化部を接続する構成に代え、各メモリ毎に専用の符号化部を接続することにより、当業者が容易になし得ることである。
　（ｄ）請求人の主張
　刊行物１では４つのメモリを必須の構成要素とし、符号化を行う際のフレーム数がメモリの容量に制限（所定フレーム数）される一方、本願発明では映像信号が「常に入力」され、符号化を行う際のフレーム数に制限はない。符号化の対象、処理方法などが異なる。（以上、主張）
　刊行物１は、本願発明と同じく「相関のある映像データ（同一のカメラの映像データ）を連続して予測符号化する」との思想に立つものであり、その共通の符号化回路装置１１を専用（複数）とすることの示唆があることは前記のとおりである。
　刊行物１の符号化回路装置１１を専用（複数）とすることとした場合において、４つのメモリは各符号化回路装置１１のバッファ（所定フレーム数）として機能することとなることが認められる。専用（複数）に構成することを妨げる構成であるとまでは言えない。主張は採用できない。
　
（４−２）相違点２
　（ａ）常套手段
　同期して動作する２つの切換動作を単一の回路手段で制御することは常套である。
　これには、特開平１０−２２４７７４号公報、特開平８−２８７３８０号公報などが参照される。すなわち、特開平１０−２２４７７４号公報には、分割選択信号Ｓ４１〜Ｓ４４と選択信号Ｓ６のいずれも単一の回路手段とされる同期信号発生回路２９から出力されることが記載されており（図１，段落0014）、特開平８−２８７３８０号公報には、切換器２と書込制御５のいずれも単一の回路手段とされる制御部１０により制御されることが記載されている（図１）。
　（ｂ）小括
　相違点２に係る構成は、刊行物１において、選択動作をする基準タイミング発生回路４５と記録時メモリ制御回路１３の動作の一部を、上記常套手段を参照して、単一の回路手段で構成することにより、当業者が容易になし得ることである。
　（ｃ）請求人の主張
　本願発明は第１の選択動作と第２の選択動作とを「一括制御する」ところ、刊行物１のメモリ６〜９への分割格納（第２の選択動作）ではカメラコードを用いている。（以上、主張）
　本願の請求項１の記載は「第１の映像選択手段の選択動作を制御すると
共に、
　本願発明は、２つの選択動作の制御を「・・共に、・・」とするところ、仮に、当該「・・共に、・・」の趣旨が、本願明細書の段落0014「・・・制御信号をカメラ選択スイッチＢに出力すると
同時に、
　
（４−３）効果等
　以上のとおり、上記相違点１及び相違点２に係る各構成は当業者が容易になし得ることであり、また、これら相違点を総合しても格別の作用をなすとは認められない。本願発明の効果も、刊行物１の記載および上記常套手段から予測することができる程度のものにすぎない。
　
５．まとめ
　以上、請求項１に係る発明は、刊行物１に記載された発明および周知技術に基づいて当業者が容易に発明をすることができたものである。
　
第四　むすび
　
　以上、請求項１に係る発明は、刊行物１に記載された発明および周知技術に基づいて当業者が容易に発明をすることができたものであるから、特許法第２９条第２項の規定により特許を受けることができない。
　したがって、請求項２から請求項６までに係る各発明について特に検討するまでもなく、本願は拒絶をすべきものである。
　よって、結論のとおり審決する。